(57)【特許請求の範囲】
【請求項１】
使い捨て吸収性物品であって、長手方向中心線及び横方向中心線、前側腰縁部を有する前側腰部領域、後側腰縁部を有する後側腰部領域、前記前側腰部領域と前記後側腰部領域の間に配置された股部領域、及び前記前側腰縁部と前記後側腰縁部とを接合する２つの離間した長手方向側縁部を有する使い捨て吸収性物品であって、
ａ）トップシートと、
ｂ）前記トップシートの下のバックシートと、
ｃ）前記トップシートと前記バックシートとの間に配置され、コアラップを含む吸収性コアと、
ｄ）前記トップシートと前記吸収性コアとの間に配置された液体管理システムと、を含む構成要素の組立体を含み、
臭気制御組成物が、前記コアラップと前記液体管理システムとの間に配置されており、  前記臭気制御組成物は、活性炭、ゼオライト、シリカ、及びそれらの混合物からなる群から選択される材料を含み、前記コアラップは、前記液体管理システムに面する表面区域を有し、前記臭気制御組成物は、前記コアラップ表面区域の多くとも８０％にわたって配置され、前記コアラップは、２つの基材を含み、前記２つの基材は、前記吸収性コアの下の位置で互いに結合され、
前記臭気制御組成物が、前記トップシート側又は前記バックシート側のいずれからも見えない、物品。
【請求項２】
前記臭気制御組成物が、微粒子、粉末、パウチ、ラミネート、フィルム、繊維、紙、不織布、基材、及びスラリーからなる群から選択される形態である、請求項１に記載の物品。
【請求項３】
前記液体管理システムは、捕捉層と分配層とを含み、前記捕捉層は、前記トップシートと前記分配層との間に配置されている、請求項１に記載の物品。
【請求項４】
前記臭気制御組成物が、前記コアラップ表面区域の少なくとも５０％にわたって配置されている、請求項１に記載の物品。
【請求項５】
前記物品が、コア表面区域を有するコアラップと、前記コアラップに面する分配層表面区域を有する分配層とを有し、前記分配層表面区域が前記コアラップ表面区域よりも小さい、請求項１に記載の物品。
【請求項６】
前記物品は、コアラップと分配層とを含み、前記分配層の長さが、前記コアラップの長さの４０％以上８０％以下である、請求項１に記載の物品。
【請求項７】
前記物品が、
ａ）前記吸収性物品が装着された際に、前記前側腰部領域と前記後側腰部領域とを接合する締結システムと、
ｂ）前記長手方向側縁部のうちの１つの内周側に隣接して配置されるバリアカフと、
ｃ）前記長手方向側縁部と前記バリアカフとの間に配置されたガスケッティングカフと、
ｄ）前記前側腰部領域内に配置された前耳部と、
ｅ）前記後側腰部領域内に配置された後耳部と、
ｆ）少なくとも２つの吸収性物品構成要素を一緒に接合するのに適した少なくとも１つのホットメルト接着剤組成物と、
からなる群から選択される少なくとも１つの追加の構成要素を更に含む、請求項１に記載の物品。
【請求項８】
前記吸収性コアがセルロースを含まない、請求項１に記載の物品。
【請求項９】
前記臭気制御組成物は、水性スラリーの形態である、請求項２に記載の物品。
【請求項１０】
前記水性スラリーは、ポリビニルアルコール、メチルセルロース、カルボキシメチルセルロース、デンプン、及びそれらの混合物から選択される結合剤を含む、請求項９に記載の物品。
【請求項１１】
前記臭気制御組成物は、シリカを含む、請求項１乃至１０のいずれか一項に記載の物品。
【請求項１２】
前記臭気制御組成物は、ゼオライトを更に含む、請求項１１に記載の物品。
【請求項１３】
前記吸収性コアが、吸収性材料を含まないゾーンによって形成される少なくとも１つのチャネルを含み、前記チャネルは、前記吸収性材料を含まないゾーンを通して前記コアラップの上側部を前記コアラップの下側部に結合する、請求項１乃至１２のいずれか一項に記載の物品。
【発明の詳細な説明】
【技術分野】
【０００１】
本発明は、臭気制御組成物を含む吸収性物品並びにこれらの製造方法及び使用方法に関する。
【背景技術】
【０００２】
無香料又は低香料製品は、香料入り商品より自然で、より控え目と考えられる場合があり、消費者に好まれる。悪臭を抑制するための無香料又は低香料製品のメーカーは、臭気を低減するうえで臭気低減材料又はその他の技術（例えばフィルター）に頼っている。しかし、効果的であることが知られているが、臭気制御組成物のいくつかは、製品に組み込むときに視覚的に魅力的でない可能性がある。したがって、製品の魅力的な外観を維持しながら、望ましくない臭気を抑制又は低減する方法が引き続き必要とされている。
【発明の概要】
【課題を解決するための手段】
【０００３】
本明細書に記載されるのは、使い捨て吸収性物品であって、長手方向中心線及び横方向中心線、前側腰縁部を有する前側腰部領域、後側腰縁部を有する後側腰部領域、前側腰部領域と後側腰部領域との間に配置された股部領域、及び前側腰縁部と後側腰縁部とを接合する２つの離間した長手方向側縁部を有する使い捨て吸収性物品であって、トップシートと、トップシートの下のバックシートと、トップシートとバックシートとの間に配置され、コアラップを含む吸収性コアと、トップシートと吸収性コアとの間に配置された液体管理システムと、を含む構成要素の組立体を含み、臭気制御組成物が、コアラップと液体管理システムとの間に配置されており、コアラップは、液体管理システムに面する表面区域（surface area）を有し、臭気制御組成物は、コアラップ表面区域の多くとも約８０％にわたって配置されている。
【図面の簡単な説明】
【０００４】
本開示の上記及び他の特徴並びに利点、更にそれらを実現する様式は、本開示の非限定的な実施例の以下の説明を添付の図面と併せて参照することによって、より明らかになり、本開示自体の理解が深まるであろう。
【図１】本開示による、いくつかの層を部分的に削除した吸収性物品の上面図である。
【図２】本開示による、図１の線２−２の周囲で切り取った吸収性物品の断面図である。
【図３】本開示による、吸収性物品が少なくとも部分的に流体で充填された図２の吸収性物品の図である。
【図４】本開示による、いくつかの層を部分的に削除した吸収性物品の上面図である。
【図５】本開示による、図４の線５−５の周囲で切り取った吸収性物品の断面図である。
【図６】本開示による、いくつかの層を部分的に削除した図４の吸収性物品の吸収性コアの上面図である。
【図７】本開示による、図６の線７−７の周囲で切り取った吸収性コアの断面図である。
【図８】本開示による、図６の線８−８の周囲で切り取った吸収性コアの断面図である。
【図９】本開示による、いくつかの層を部分的に削除した図４の吸収性物品のＬＭＳの上面図である。
【図１０】本開示による、図９の線１０−１０の周囲で切り取った液体管理システムの断面図である。
【発明を実施するための形態】
【０００５】
定義
本明細書で使用する場合、用語「吸収性物品」は、幼児用、子供用又は成人用おむつ、生理用ナプキン、大人用失禁製品、パンツ型おむつ、トレーニングパンツ、おむつインサートなど、着用者の身体に対して、又は着用者の身体に近接して配置されて、身体から排泄された身体排出物（例えば、尿及びＢＭ）を吸収し収容する使い捨てデバイスを指す。典型的には、これらの物品は、トップシート、バックシート、吸収性コア、任意で液体管理システム（ＬＭＳ）、並びに典型的にはその他の構成要素を備え、吸収性コアは通常、バックシートとＬＭＳ（設けられている場合）との間、あるいはトップシートとバックシートとの間に、少なくとも部分的に配置される。本開示の吸収性物品について、以下の説明にて、及び図にて、テープ付きおむつの形態で更に説明することにする。しかしながら、この説明におけるいかなる内容も、特許請求の範囲を制限するものと見なされるべきではない。したがって、本開示は、吸収性物品の任意の適した形態に適用する（例えば、トレーニングパンツ、テープ付きオムツ、成人用失禁製品−テープ付き又はパンツ形態のいずれか、生理用ナプキン）。
【０００６】
「接着剤」とは、１種以上の熱可塑性ポリマー、典型的には１種以上の粘着付与樹脂、及びレオロジー変性剤又は可塑剤を含む組成物を指す。接着剤は、２％以上の粘着付与樹脂を含有してもよい。接着剤は、概して、少なくとも１つの材料にそれを塗布し、次いでそれに、接着剤が各材料を湿らせるか、又は各材料上に広がってそれらを一緒に接合することができるほど十分な時間をかけ、十分な力を用いて、少なくとも１つの他の材料を接触させることによって、２つ以上の材料を共に接合又は結合させるのに使用される（以下の「粘着付与剤」の定義を参照のこと）。
【０００７】
本明細書で使用する場合、「消費者製品」は、販売される形態での使用又は消費を意図し、後続する商業的製造又は修正を意図しない、ベビーケア及び／若しくはフェミニンケア製品又はデバイスを意味する。かかる製品としては、おむつ、胸当て、ワイプ；クリーム、ローション、消費者用の局所的に塗布されるその他の製品の塗布を含むスキンケア；タンポン、及び／又は女性用ナプキンが挙げられるが、これらに限定されない。
【０００８】
「おむつ」とは、一般的に、幼児及び失禁症状のある人によって着用されるものであり、着用者の腰部及び脚部を取り巻くように、胴体下部の周りに着用され、具体的には、尿及び糞便を受容し収容するように適合された吸収性物品を指す。「おむつ」という用語には、本明細書で使用する場合、以下で定義されている「パンツ」も含まれる。
【０００９】
吸収性物品に関連しての「使い捨て」は、吸収性物品が、洗濯される、あるいは別の方法で吸収性物品として復元されるか再利用されることを一般的に意図しない（すなわち、一回だけの使用の後で廃棄することが意図され、リサイクルする、堆肥化する、あるいは環境に適合する方法で廃棄してもよい）ことを意味する。
【００１０】
本明細書で使用する場合、「悪臭」とは、排便にともなう複合臭のようなほとんどの人々にとって一般的に不快であるか不愉快である化合物を意味する。
【００１１】
本明細書で使用する場合、「中和する」又は「中和」とは、化合物又は製品が悪臭化合物を低減するか、又は除去する能力を意味する。臭気の中和は、所定の状況で複数種の悪臭化合物のいくつかのみに作用するか、又は１種の悪臭化合物の一部のみに作用する、部分的なものであってよい。悪臭化合物は、新しい化学物質を生じる化学反応、金属イオン封鎖、キレート化、会合、又は悪臭化合物をそれほど悪臭が強くないか又は無悪臭にする他の相互作用によって中和されてもよい。臭気マスキング又は臭気ブロッキングは、悪臭化合物の状態変化に相当する変化が一切ない、悪臭を知覚する能力の変化であるのに対して、中和は、悪臭化合物の変化があるという点で、臭気マスキングや臭気ブロッキングと区別することができる。悪臭中和は、知覚及び分析測定可能（例えば、ガスクロマトグラフ）な悪臭の低減をもたらす。したがって、ある悪臭低減組成物が真の悪臭中和をもたらすならば、その組成物は気相及び／又は液相中の悪臭を低減するであろう。
【００１２】
本明細書で使用する場合、用語「不織布ウェブ」は、摩擦及び／又は粘着及び／又は接着により結合させた、一方向に又はランダムに配向された繊維から作られたシート、ウェブ、又は打延べ綿シートを意味し、紙、及び更なるニードル加工の有無を問わず、結束糸若しくはフィラメントを組み込んだ織り製品、編み製品、タフト加工品、ステッチ結合製品、又は湿式粉砕によるフェルト製品は含まない。繊維は、天然物由来であっても人工物由来であってもよく、ステープル若しくは連続フィラメントであっても、又はその場形成であってもよい。市販の繊維は、約０．００１ｍｍ未満〜約０．２ｍｍ超の範囲の直径を有することがあり、短繊維（ステープル又は裁断として知られる）、連続単繊維（フィラメント又はモノフィラメント）、連続フィラメントの無撚束（粗麻）、及び連続フィラメントの撚り束（紡績糸）など、いくつかの異なる形態で提供されることがある。不織布ウェブは、メルトブロー、スパンボンド、溶媒紡糸、電界紡糸、カーディング、及びエアレイイングなどの多くのプロセスによって形成され得る。不織布ウェブの坪量は、通常は、グラム毎平方メートル（ｇ／ｍ２又はｇｓｍ）で表される。
【００１３】
本明細書で使用するとき、用語「接合」、「接合された」、「接合する」、「結合」、「結合する」、「結合された」、「取り付け」、「取り付けられた」、又は「取り付ける」とは、ある要素を直接別の要素に固着されることによって、ある要素がもう一方の要素に直接固定される構成、及びある要素を中間部材に固着させて、続いてその中間部材をもう一方の要素に固着させることによって、ある要素がもう一方の要素に間接的に固定される構成を包含する。
【００１４】
本明細書で使用する場合、「臭気マスキング」は、悪臭化合物を感知する能力を制限するように投与される、不快でない、又は心地よい匂いを有する化合物の能力を意味する。臭気マスキングは、予期される悪臭と協調することで臭気化合物の組み合わせによって与えられる全体的な匂いの知覚を変化させる化合物の選択を伴い得る。
【００１５】
「粘着付与剤」とは、ゴム状ポリマーの融解粘度を低下させ、ゴム状ポリマーのガラス転移温度を上昇させ、ゴム状ポリマーのからみ合い密度を低下させる約７０℃〜約１５０℃の範囲のガラス転移温度を有する接着性成分を指す。
【００１６】
本明細書で使用するとき、用語「弾性」は、付勢力の印加時に、伸長可能、即ち、少なくとも約６０パーセント（即ち、伸張後の、付勢後の長さに）伸縮可能であり、弛緩後の付勢前の長さの少なくとも約１６０パーセントであり、かつ、伸長、伸縮力の解除時に、少なくとも伸縮の少なくとも５５パーセントを回復することになる任意の材料を指す。仮想的実施例であれば、少なくとも４．０６センチメートル（１．６０インチ）に伸長可能であり、４．０６センチメートル（１．６０インチ）に伸長されて解除されると、せいぜい３．２３センチメートル（１．２７インチ）の長さに回復することになる材料の２．５４センチメートル（１インチ）試料であろう。多くの弾性材料は、６０パーセントを超え（即ち、弛緩後の長さの１６０パーセントを遥かに上回る）、例えば、１００パーセントを超えて伸長され得、これらの材料の多くは、伸長力の解除時に、例えば、初期の弛緩後の長さの１０５パーセント以内まで、実質的に初期の弛緩後の長さに回復することになる。
【００１７】
本明細書で使用するとき、用語「非弾性」は、上記の「弾性」の定義に該当しない任意の材料を指す。
【００１８】
本明細書で使用するとき、用語「伸張可能な」とは、付勢力の印加時に、突発故障を起こすことなく少なくとも約５０％、少なくとも約１００％、又は少なくとも約１２５％伸長可能である任意の材料を指す。
【００１９】
「パンツ」又は「トレーニングパンツ」は、本明細書で使用するとき、乳児又は成人の着用者に合わせて設計された腰部開口部と脚部開口部とを有する使い捨て衣類を指す。パンツは、着用者の脚を脚部開口部内に挿入し、パンツを着用者の下部胴体の周囲の位置にまでずらすことによって、着用者上の適所に配置され得る。パンツは、限定されないが、再締着可能及び／又は再締着不可能な接合（例えば、縫合、溶接、接着剤、粘着性接合材、締着具等）を使用して、物品の部分を一緒に結合することを含む任意の好適な手技によって予備形成されてもよい。パンツは、物品の外周に沿った任意の位置において予備成形することができる（例えば、側面締着、前腰部締着）。
【００２０】
本明細書で使用する場合、用語「ａ」及び「ａｎ」は、「少なくとも１つ」を意味する。
【００２１】
本明細書で使用するとき、用語「含む（include）」、「含む（includes）」、及び「含んでいる（including）」は、非限定的であることを意味する。
【００２２】
特に明記しない限り、成分又は組成物の濃度はすべて、当該成分又は組成物の活性部分に関するものであり、かかる成分又は組成物の市販の供給源中に存在し得る不純物、例えば、残留溶媒又は副生成物は除外される。
【００２３】
すべての百分率及び比率は、特に指示がない限り、重量で計算される。すべての百分率及び比率は、特に指示がない限り、全組成物に基づいて計算される。
【００２４】
本明細書の全体を通して記載されるすべての最大数値限定は、それよりも小さいすべての数値限定を、かかるより小さい数値限定があたかも本明細書に明確に記載されているかのように包含するものと理解すべきである。本明細書全体を通して記載されるすべての最小数値限定は、それよりも高いすべての数値限定を、かかるより高い数値限定があたかも本明細書に明確に記載されているかのように包含する。本明細書全体を通して与えられるすべての数値範囲は、かかるより広い数値範囲内に入るより狭いすべての数値範囲を、かかる狭い数値範囲がすべて本明細書に明確に記載されているかのように包含する。
【００２５】
臭気制御組成物
本発明において効果的であり得る多くのタイプの臭気制御組成物が存在する。好適な臭気制御組成物のいくつかの例としては活性炭、着色活性炭、ゼオライト、シリカ、粘土（例えば、スメクタイト粘土）、アルミナ、マグネシア、チタニア、キチン、イオン交換樹脂、シクロデキストリン、テナックス（２，６−ジフェニルフェニレン酸化物）、及びそれらの組み合わせが挙げられるが、これらに限定されない。例えば、活性炭は、おがくず、木材、木炭、泥炭、亜炭、ビチューメン石炭、ココナッツ殻などのような種々の供給源から誘導することができる。活性炭のいくつかの好適な形態及びその形成技術は、Ｐａｒｋｓの米国特許第５，６９３，３８５号、Ｅｃｏｎｏｍｙらの同第５，８３４，１１４号、Ｅｃｏｎｏｍｙらの同６，５１７，９０６号、ＭｃＣｒａｅらの同６，５７３，２１２号、並びにＦａｌａｔらの米国特許出願公開第２００２／０１４１９６１号、及びＨｕらの同２００４／０１６６２４８号に記載されている。
【００２６】
本明細書で使用するのに適した炭素材料は、当該分野で有機分子及び／又は空気浄化の目的のための吸収剤として周知の材料である。本明細書での使用に適した炭素は、ＣＡＬＧＯＮタイプ「ＣＰＧ」、タイプＳＧＬ、タイプ「ＣＡＬ」及びタイプ「ＯＬ」などの商品名で多数の商業的供給元から入手可能である。しばしばこのような物質は「活性」炭素（activated carbon）又は「活性」炭（activated charcoal）と呼ばれる。典型的には、それは、表面積が大きい（２００〜数千ｍ２／ｇ）非常に微細で粉末状粒子の形態で入手可能である。「空気浄化」又は「活性」炭素のいずれも本発明の実施に使用できることを理解されたい。吸収性物品当たりに使用され得る活性炭の量は、約０．００１グラム〜約１０グラム（ｇ）、約０．００１ｇ〜約５ｇ、約０．０１〜２ｇ、約０．０５ｇ〜約２ｇ、約０．１ｇ〜約１ｇ、又は約０．０５ｇ〜約２ｇである。活性炭は、例えば、以下の参考文献に記載されている：Ｇｌｅｎｎ  Ｍ．Ｒｏｙ、Ｔｅｃｈｎｏｍｉｃ  Ｐｕｂｌｉｓｈｉｎｇ  Ｃｏ．，Ｉｎｃ．（１９９４）による食品及び医薬品産業における活性炭応用例。
【００２７】
ゼオライト材料の使用及び製造は、文献でよく知られており、以下の参考文献に記載されている：Ｚｅｏｌｉｔｅ  Ｓｙｎｔｈｅｓｉｓ、ＡＣＳシンポジウムシリーズ３９８、Ｍ．Ｌ．Ｏｃｃｅｌｌｉ及びＨ．Ｅ  Ｒｏｂｓｏｎ（１９８９）ｐａｇｅｓ  ２〜７；Ｚｅｏｌｉｔｅ  Ｍｏｌｅｃｕｌａｒ  Ｓｉｅｖｅｓ，Ｓｔｒｕｃｔｕｒｅ，Ｃｈｅｍｉｓｔｒｙ  ａｎｄ  Ｕｓｅ、Ｄ．Ｗ．Ｂｒｅｃｋ、Ｊｏｈｎ  Ｗｉｌｅｙ  ａｎｄ  Ｓｏｎｓ（１９７４）、２４５〜２５０頁、３１３〜３１４頁及び３４８〜３５２頁；Ｍｏｄｅｒｎ  Ａｐｐｌｉｃａｔｉｏｎｓ  ｏｆ  Ｍｏｌｅｃｕｌａｒ  Ｓｉｅｖｅ  Ｚｅｏｌｉｔｅｓ、ミシガン州、アンアーバーのＵｎｉｖｅｒｓｉｔｙ  ｏｆ  Ｍｉｃｒｏｆｉｌｍｓ  Ｉｎｔｅｒｎａｔｉｏｎａｌから入手可能なＳ．Ｍ．Ｋｕｚｎｉｃｋｉ、Ｕ．ｏｆ  Ｕｔａｈ（１９８０）のＰｈ．Ｄ．論文、２〜８頁。
【００２８】
ゼオライトは、Ｎａ、Ｋ、Ｍｎ、ＣａなどのＩＡ族元素及びＩＩＡ族元素の結晶性アルミノシリケートであり、化学的に実験式：Ｍ２／ｎＯ，Ａｌ２Ｏ３，ｙＳｉＯ２，ｗＨ２Ｏ（式中、ｙは２以上であり、ｎはカチオン価、及びｗは、ゼオライトの空隙中の含水量である。）で表される。
【００２９】
構造的には、ゼオライトは、酸素イオンの共有によって互いに結合した無限に広がるＡｌＯ４及びＳｉＯ４四面体の骨格に基づく、複合体結晶性無機ポリマーである。この骨格構造は、カチオン及び水分子によって占有されるチャネル又は相互接続された空隙を含む。
【００３０】
ゼオライトの構造式は、Ｍｘ／ｎ［（ＡｌＯ２）ｘ（ＳｉＯ２）ｙ］．ｗＨ２Ｏで表される構造の最小単位である結晶単位格子に基づいている。ここで、ｎはカチオンＭの原子価であり、ｗは単位格子当たりの水分子の数であり、ｘ及びｙは単位格子当たりの総量であり、ｙ／ｘは通常１〜５の値を有する。
【００３１】
ゼオライトは、天然に由来するか、又は合成的に製造され得る。合成ゼオライトは本明細書での使用に好ましい。本明細書での使用に好適なゼオライトとしては、ゼオライトＡ、ゼオライトＰ、ゼオライトＹ、ゼオライトＸ、ゼオライトＤＡＹ、ゼオライトＺＳＭ−５、又はそれらの混合物が挙げられる。最も好ましいのは、ゼオライトＡ及びゼオライトＹ又はそれらの混合物である。ゼオライトは疎水性であってもよい。これは、典型的には、ｘとｙの比が少なくとも１、好ましくは１〜５００、最も好ましくは１〜６となるように、ＳｉＯ２対ＡｌＯ２のモル比を増加させることによって達成される。吸収性物品は、４０ｇｍ−２〜９０ｇｍ−２、いくつかの実施形態では５５ｇｍ−２〜８５ｇｍ−２、他の実施形態では６０ｇｍ−２〜６５ｇｍ−２のゼオライトを含むことができる。
【００３２】
本発明の臭気制御組成物は、シリカを含むことができる。シリカ、すなわち二酸化ケイ素ＳｉＯ２は、様々な結晶形態及び非晶質の改変形態で存在し、そのいずれも本明細書での使用に適している。シリカは高い表面積を有する傾向があり、シリカは凝集形態であり得る。シリカは、少なくとも約９０％、約９５％、又は更に約９９％の二酸化ケイ素を含むように、高度に精製された形態であり得る。シリカは１００％のシリカ含有量を有するシリカゲルであってもよい。あるいは、シリカは、ケイ酸ナトリウムを含む金属ケイ酸塩などの他の供給源から提供されてもよい。吸収性物品は、好ましくは、純度１００％に基づいて約４０ｇｍ−２〜約１００ｇｍ−２、場合によっては６０ｇｍ−２〜９０ｇｍ−２、他の場合には約６０ｇｍ−２〜約６５ｇｍ−２のシリカを含む。
【００３３】
いくつかの実施形態では、臭気制御組成物は、分子ふるい材料（一般に、１〜５マイクロメートルのサイズ範囲内）のような粒子状であってもよい。微粒子の量は、約０．００１ｇ〜約５ｇ、又はいくつかの実施形態では約０．０５ｇ〜約１ｇであってもよい。微粒子は、粒子状臭気制御組成物、結合剤、湿潤剤などを含有する水性スラリーの形態で物品に適用することができる。例示的な結合剤としては、ポリビニルアルコール、メチルセルロース、カルボキシメチルセルロース、デンプン（そのエチル化及び酸化誘導体を含む）及び種々のポリマーエマルジョンが挙げられる。スラリーは、印刷（スクリーン印刷を含む）、噴霧、接触コーティング、ブレード、飽和剤、コーティング、液滴スロー、ペイント及び発泡体用途などの様々な技術によって所望のパターンで適用することができる。欧州特許第３９２，５２８号は、粒子状臭気制御組成物を含有するスラリーを吸収性物品のウェブ材料に適用する方法を記載している。臭気制御組成物は、物品の繊維又は不織布基材構成要素に直接組み込まれてもよい。すなわち、臭気制御組成物は、基材、例えば、活性炭のような特定の臭気制御組成物が含浸された組織又は布の形態であってもよい。基材は、不織布又はセルロース系材料であってもよく、本明細書に記載された適切な物品構成要素のいずれかであってもよい。いくつかの実施形態では、臭気制御組成物は、臭気制御組成物を含む不織布パウチ又はサシェであり得るパウチ又はサシェの形態であり得る。いくつかの実施形態では、臭気制御組成物はラミネート又はフィルムであってもよい。
【００３４】
物品
おむつの形態にある本開示による例示的な吸収性物品２０を図１〜図３に示す。図１は、おむつの、観察者に向かって着用者に面する表面の平らに広げられた状態の平面図であり、構造の一部分を切り欠き、おむつの構造をより明瞭に示している。本開示は、多種多様なおむつ及び他の吸収性物品を製造するために使用され得るため、このおむつは例示目的のみで示される。
【００３５】
吸収性物品は、液体透過性のトップシート２４、液体不透過性のバックシート２５、トップシート２４とバックシート２５との間に少なくとも部分的に配置される吸収性コア２８、及びバリアレッグカフ３４を備え得る。吸収性物品は、液体管理システム（「ＬＭＳ」）５０（図２に図示）を更に備え得るが、これは、図示されている例では分配層５４と捕捉層５２とを備えており、これらのいずれについても以下で詳細に説明する。様々な形態では、捕捉層５２は、代わりに、身体排出物を分配することができ、また、分配層５４は、代わりに、身体排出物を捕捉することができるか、又はいずれの層も、身体排出物の分配及び／又は捕獲が可能である。また、ＬＭＳ  ５０は、単一層又は２層又は３層以上として提供され得る。また、吸収性物品は、典型的には、トップシート及び／又はバックシートを通して吸収性物品のシャーシと接合し、おむつのシャーシに実質的に平面である弾性ガスケットカフ３２又は３３を含んでもよい。
【００３６】
図面はまた、吸収性物品２０の後縁部に向かって取り付けられ、かつ吸収性物品２０の前方で、ランディングゾーン４４と協働する、結合タブ４２又はその他の機械的締結具を備える締結システムのような、テープ付きおむつの典型的な構成要素を示す。吸収性物品は、例えば、後側弾性腰部機構、及び前側弾性腰部機構など、図示されていないその他の典型的な要素を更に備え得る。
【００３７】
吸収性物品２０は、前側腰縁部１０、前側腰縁部１０と長手方向に対向する後側腰縁部１２、第１側縁部３、及び第１側縁部３と横方向に対向する第２側縁部４を有し得る。前側腰縁部１０は、着用されるときにユーザーの前方に向かって置かれるように意図された吸収性物品２０の縁部であり、後側腰縁部１２はその反対側の縁部である。着用者が吸収性物品２０を着用すると、前側腰縁部１０及び後側腰縁部は共同で腰部開口部を形成する。吸収性物品２０は、図１で例示されるように物品を平らに配置して着用者側表面から見た場合に、吸収性物品２０の前側腰縁部１０の横方向中点から後側腰縁部１２の横方向中点まで延在して、吸収性物品２０を、長手方向軸線８０を中心に実質的に対称的な２つの半体に分割する長手方向軸線８０を有し得る。吸収性物品は更に、第１側縁部３の長手方向中点から第２側縁部４の長手方向中点まで延在する横方向軸線９０を有し得る。吸収性物品２０の長さＬは、長手方向軸線８０に沿って、前側腰縁部１０から後側腰縁部１２まで測定され得る。吸収性物品２０の股幅Ｗは、第１側縁部３から第２側縁部４へと横方向軸線９０に沿って測定され得る。吸収性物品２０は、前側腰部領域５、後側腰部領域６、及び股部領域７を備え得る。前側腰部領域、後側腰部領域及び股部領域は、それぞれ、吸収性物品の長手方向の長さの１／３を画定する。更に、前側及び後側部分も、横方向軸線９０の両側で画定され得る。
【００３８】
トップシート２４、バックシート２５、吸収性コア２８、及び物品のその他の構成要素は、様々な構成で、具体的には例えば糊剤結合又は熱エンボス加工によって組み立て得る。例示的なおむつの構成が、米国特許第３，８６０，００３号、同第５，２２１，２７４号、同第５，５５４，１４５号、同第５，５６９，２３４号、同第５，５８０，４１１号、及び同第６，００４，３０６号で概説されている。
【００３９】
吸収性コア２８は、すべて吸収性材料の重量を基準にして、７５重量％〜１００重量％、少なくとも８０重量％、少なくとも８５重量％、少なくとも９０重量％、少なくとも９５重量％、又は少なくとも９９重量％（具体的には、上記に指定した範囲及びその中で又はそれによって形成された全範囲内の、すべての０．１重量％刻みが列挙される）を占める吸収性材料、及び吸収性材料を包囲するコアラップを含んでもよい。コアラップは、通常、コアの上面及び下面に対して、２つの材料、基材、又は不織布材料１６及び１６’（図８参照）を備えてもよい。
【００４０】
吸収性コア２８は、図１においては、４つのチャネル２６、２６’、及び２７、２７’として図示される、１つ又は複数のチャネルを備え得る。追加として、又は代替として、ＬＭＳ  ５０は、図１〜図３のチャネル４９、４９’として表すように１つ又は複数のチャネルを含んでもよい。いくつかの形態では、ＬＭＳ  ５０のチャネルは、吸収性コア２８のチャネルと整列する、実質的に整列する、重なり合う、又は少なくとも部分的に重なり合うように、吸収性物品２０内に配置されてもよい。以下、吸収性物品のこれら及び他の構成要素について、より詳細に考察する。
【００４１】
トップシート
トップシート２４は、着用者の肌に直接接する吸収性物品の一部である。当業者には周知されるように、トップシート２４は、バックシート２５、コア２８、及び／又は任意のその他の層に接合され得る。通常は、トップシート２４とバックシート２５とがいくつかの箇所（例えば、物品の外周部上、又はその付近）で直接互いに接合され、かつ他の箇所では、これらは、吸収性物品２０の１つ又はそれ以上の他の要素と直接接合することにより、間接的に接合される。
【００４２】
トップシート２４は、着用者の皮膚に対して順応性があり、柔軟な感触であり、非刺激性であってよい。更に、トップシート２４の少なくとも一部分は、液体透過性であり、液体がその厚さ方向を通して容易に浸透可能であり得る。好適なトップシートは、例えば、多孔質発泡体、網目状発泡体、有孔プラスチックフィルム、又は天然繊維（例えば、木材繊維又は綿繊維）、合成繊維若しくはフィラメント（例えば、ポリエステル繊維、若しくはポリプロピレン繊維、若しくは二成分ＰＥ／ＰＰ繊維、又はこれらの混合物）、若しくは天然繊維と合成繊維との組み合わせの、織布又は不織布材料などの幅広い範囲の材料から製造することができる。トップシート２４が繊維を含む場合、繊維は、スパンボンド繊維、カーディング繊維、湿式繊維、メルトブローン繊維、水流交絡繊維、又は当該技術分野で既知の処理を施されたもの、特にスパンボンドＰＰ不織布であってもよい。
【００４３】
典型的な吸収性物品のトップシートの坪量は、約５ｇｓｍ〜約５０ｇｓｍ、約１０〜約３５ｇｓｍ又は約１２〜約３０ｇｓｍであるが、他の坪量は、本開示の範囲内である。
【００４４】
バックシート
バックシート２５は、一般に、吸収性コア２８の衣類側表面に隣接して位置決めされ、その内部に吸収され収容された身体排出物が、ベッドシーツや下着などの物品を汚すのを防ぐ、又は少なくとも妨げる、吸収性物品２０の部分である。バックシート２５は、一般に、液体（例えば尿、流動性ＢＭ）不透過性、又は少なくとも実質的に不透過性であるが、おむつが「呼吸」できるように蒸気透過性である。バックシートは、例えば、約０．０１２ｍｍ〜約０．０５１ｍｍの厚さを有する熱可塑性フィルムなどの薄いプラスチックフィルムであるか、又はそれを含んでもよい。例示的なバックシートフィルムとしては、Ｒｉｃｈｍｏｎｄ，ＶＡを拠点とするＴｒｅｄｅｇａｒ  Ｃｏｒｐｏｒａｔｉｏｎによって製造され、ＣＰＣ２フィルムの商標で販売されるものが挙げられる。他の好適なバックシート材料としては、蒸気が吸収性物品２０から逃れるのを可能にするが、同時に身体排出物がバックシート２５をとおり抜けるのを防止する、又は少なくとも妨げる通気性材料を挙げることができる。通気性材料の例としては、織布ウェブ、不織布ウェブなどの材料、フィルムコーティングされた不織布ウェブなどの複合材料、微多孔性フィルム、及びモノリシックフィルムなどを挙げることができる。
【００４５】
バックシート２５は、当業者に既知の任意の取付方法によって、トップシート２４、吸収性コア２８、及び／又は吸収性物品２０の任意の他の要素に接合することができる。好適な取付方法が、トップシート２４を吸収性物品２０の他の要素に接合するための方法に関して、上記で説明されている。
【００４６】
吸収性コア
本明細書で使用するとき、用語「吸収性コア」は、最大の吸収能力を有して、吸収性材料を備える、吸収性物品の独立した構成要素を指す。吸収性コアは、吸収性材料を包み込むコアラップ又はコアバッグ（以下「コアラップ」）を備え得る。「吸収性コア」という用語は、ＬＭＳ、又は、コアラップの一体部分ではないか、あるいはコアラップ内に配置されていない吸収性物品のいかなる他の構成要素も含まない。吸収性コアは、コアラップと、以下で定義される吸収性材料と、コアラップ内に封入される糊剤とを含んでもよく、本質的にそれらからなってもよく、又はそれらからなってもよい。更にパルプ又はエアフェルトもコアラップ内に存在し得、また、吸収性材料の一部分を形成し得る。コアラップの周辺部であり得る吸収性コアの周辺部は、例えば「Ｔ」字形、「Ｙ」字形、「砂時計」形、又は「犬の骨」形など、任意の好適な形状を画定してもよい。概ね「犬の骨」又は「砂時計」形を有する吸収性コアの周辺部は、その幅に沿ってコアの中央又は「股部」領域に向かって先細になっていてもよい。このようにして、吸収性コアは、吸収性物品の股部領域内に置かれるように意図された吸収性コアの面積において、比較的狭い幅を有してもよい。
【００４７】
本開示の吸収性コア２８は、多量の超吸収性ポリマー（本明細書では「ＳＡＰ」と略す）がコアラップ内に封入された吸収性材料を含んでもよい。ＳＡＰ含有量は、コアラップ内に包含された吸収性材料の７０重量％〜１００重量％、又は少なくとも７０重量％、７５重量％、８０重量％、８５重量％、９０重量％、９５重量％、９９重量％、若しくは１００重量％を示してもよい。本開示で有用なＳＡＰとしては、非水溶性ではあるが大量の流体を吸収することができる、種々の水膨潤性ポリマーを挙げることができる。コアラップは、吸収性コア内のＳＡＰの百分率を見積もる目的で、吸収性材料とは見なされない。コア２８中の吸収性材料の残部はエアフェルトであってもよい。
【００４８】
「吸収性材料」とは、ＳＡＰ、セルロース系繊維、及び合成繊維など、いくらかの吸収特性又は液体保持特性を有する材料を意味する。一般に、吸収性コアを作るのに使用される糊剤は吸収特性を有さず、吸収性材料とは見なされない。ＳＡＰ含有量は、上述したように、コアラップに包含された吸収性材料の８０重量％超、例えば少なくとも８５重量％、少なくとも９０重量％、少なくとも９５重量％、少なくとも９９重量％、及び更には１００重量％以下であってもよい。これにより、典型的には、例えば、４０〜６０％のＳＡＰ、及び大量のセルロース繊維又はエアフェルトを含む従来のコアと比較して、相対的に薄いコアが得られる。吸収性材料は、１５重量％未満、又は１０重量％未満の天然又は合成繊維を含むか、５重量％未満、３重量％未満、２重量％未満、１重量％未満の天然及び／又は合成繊維を含んでもよく、あるいは更にはセルロース及び／又は天然及び／又は合成繊維を実質的に含まないか、又は含まなくてもよく、具体的には、指定した範囲内、及びその範囲内で又はその範囲によって形成される全範囲内の、すべての０．１％刻みが列挙される。吸収性材料は、エアフェルト（セルロース）繊維をほとんど又は全く含まなくてもよく、特に吸収性コアは、１５重量％未満、１０重量％未満、５重量％未満、３重量％未満、２重量％未満、１重量％未満のエアフェルト（セルロース）繊維を含んでもよく、又は更にはセルロース繊維を実質的に含まない、若しくは含まないでもよく、具体的には指定される範囲内の、及び指定される範囲内に又は指定される範囲によって形成されるすべての範囲の０．１％刻みのすべてが列挙される。
【００４９】
図４及び図５の吸収性物品の例示的吸収性コア２８を、図６〜図８に単独で示す。吸収性コア２８は、前側部２８０と、後側部２８２と、前側部２８０と後側部２８２とを接合する２つの長手方向側部２８４、２８６とを備えてもよい。吸収性コア２８はまた、概ね平坦な上側部、及び概ね平坦な下側部を更に備え得る。コア２８の前側部２８０は、吸収性物品の前側腰縁部１０に向けて配置されるように意図されるコア２８の側部である。コア２８は、図１のように平面図で上から見て、吸収性物品の長手方向軸線８０に実質的に対応する長手方向軸線８０’を有してもよい。特定の物品では前側でより高い吸収性が求められることがあるので、吸収性材料は、後側に向かってよりも前側に向かってより多くの量が分配されてもよい。吸収性材料は、コアの任意の部分にわたって不均一の坪量又は均一の坪量を有し得る。コアラップは、２つの不織布材料、基材、積層体、又は他の材料１６、１６’によって形成されてもよく、それらは、吸収性コアの側部に沿って少なくとも部分的に封止されてもよい。コアラップは、吸収性材料が吸収性コアラップから実質的に全く漏れ出さないように、その前側部２８０、後側部２８２、及び２つの長手方向側部２８４、２８６に沿って、少なくとも部分的に封止されてもよい。図７に示されるように、第１の材料、基材、又は不織布１６は、第２の材料、基材、又は不織布１６’を少なくとも部分的に取り囲んで、コアラップを形成してもよい。第１の材料１６は、第１及び第２の側縁部２８４及び２８６に近接した第２の材料１６’の一部を取り囲むことができる。
【００５０】
様々なコアの設計を有し、比較的大量のＳＡＰを含むコアが、米国特許第５，５９９，３３５号（Ｇｏｌｄｍａｎ）、欧州特許第１，４４７，０６６号（Ｂｕｓａｍ）、国際公開第９５／１１６５２号（Ｔａｎｚｅｒ）、米国特許公開第２００８／０３１２６２２Ａ１号（Ｈｕｎｄｏｒｆ）、及び国際公開第２０１２／０５２１７２号（Ｖａｎ  Ｍａｌｄｅｒｅｎ）に開示されている。
【００５１】
吸収性材料は、コアラップ内に存在する１つ以上の連続層であってもよい。あるいは、吸収性材料は、コアラップ内に封入された吸収性材料の個別のポケット又はストライプからなってもよい。第１の事例では、吸収性材料は、例えば、吸収性材料の単一の連続層を適用することによって得られてもよい。吸収性材料の、特にＳＡＰの連続層はまた、不連続的な吸収性材料適用パターンを有する２つ以上の吸収性層を組み合わせることによって得られてもよく、結果として得られる層は、例えば米国特許公開第２００８／０３１２６２２Ａ１号（Ｈｕｎｄｏｒｆ）に開示されているように、吸収性粒状ポリマー材料の面積の全体にわたって実質的に連続的に分配されている。吸収性コア２８は、第１の吸収性層と第２の吸収性層とを備えてもよい。第１の吸収性層は、第１の材料１６と、１００％以下のＳＡＰであってよい吸収性材料の第１の層６１と、を含んでよい。第２の吸収性層は、第２の材料１６’と、やはり１００％以下のＳＡＰであってよい吸収性材料の第２の層６２と、を含んでよい。吸収性コア２８はまた、吸収性材料６１、６２の各層を、それぞれ対応する材料１６又は１６’に少なくとも部分的に結合する、繊維状の熱可塑性接着剤材料５１を含んでよい。これは、図７〜図８に一例として図示されており、ここで第１及び第２のＳＡＰ層は、組み合わされる前に、対応する基板上の所望される吸収性材料の堆積区域と同じ幅を有する横ストライプ、即ち「ランド区域」として適用される。ストライプ（複数）は、コア８０の長手方向軸線に沿って所定の側断面秤量を提供するように、異なる量の吸収性材料（ＳＡＰ）を含んでもよい。第１の材料１６及び第２の材料１６’は、コアラップを形成してよい。
【００５２】
繊維状の熱可塑性接着剤材料５１は、ランド区域において吸収性材料６１、６２と少なくとも部分的に接触してよく、また接合区域において材料１６、１６’と少なくとも部分的に接触してよい。これによって、それ自体は長さ方向及び幅方向の寸法に比べると相対的に厚さが薄い、本質的に二次元の構造である熱可塑性接着剤材料５１の繊維層に、本質的に三次元の構造が付与される。それにより、繊維状の熱可塑性接着剤材料は、ランド区域において吸収性材料を被覆するためのキャビティを提供してもよく、それにより、１００％以下のＳＡＰであってもよいこの吸収性材料を不動化する。
【００５３】
コアラップ
コアラップは、吸収性材料の周りに折り重ねられた単一の基材、材料、又は不織布で作られてもよく、あるいは互いに取り付けられた２つ（又はそれ以上）の基材、材料、又は不織布を備えてもよい。一般的な取り付け方法は、いわゆるＣラップ及び／又はサンドイッチラップである。例えば図２及び７に示すように、Ｃラップでは、一方の基板の長手方向縁部及び／又は横方向縁部を他方の基板に折り重ねてフラップを形成する。次に、これらのフラップは、一般的には糊剤接着によって、他方の基材の外表面に結合される。他の技術を使用してコアラップを形成してもよい。例えば、基材の長手方向及び／又は横断方向縁部が互いに結合され、次に吸収性コア２８の下に折り重ねられ、その位置で結合されてもよい。
【００５４】
コアラップは、吸収性材料がコアから実質的に全く漏れ出さないように、吸収性コアのすべての側部に沿って少なくとも部分的に封止されてもよい。「吸収性材料が実質的にない」とは、コアラップから逃げる吸収性材料が５重量％未満、２重量％未満、１重量％未満、又は約０重量％であることを意味する。「封止」という用語は、広義に理解されるべきである。封止は、コアラップの周辺部全体に沿って連続的である必要はなく、線上で離間された一連の封止点によって形成されるなど、その一部又は全体に沿って不連続であってもよい。封止は、糊剤接着及び／又は熱結合によって形成されてもよい。
【００５５】
コアラップは更に、吸収性材料を風呂敷包み状に封入して、コアの前側部及び後側部、並びに一方の長手方向封止に沿って封止され得る単一の基板によって形成されてもよい。
【００５６】
ＳＡＰ堆積区域
吸収性材料堆積区域８は、吸収性コアの上面から見て分かるように、コアラップ内の吸収性材料６０によって形成される層の周辺部によって画定されてよい。吸収性材料堆積区域８は、コアの中央、つまり「股部」領域に向かってその幅に沿ってテーパーを示す、様々な形状、特にいわゆる「犬の骨」又は「砂時計」形を有してもよい。このように、吸収性材料堆積区域８は、図１に図示されるように、吸収性物品の股部領域内に配置されるように意図されたコアの区域で比較的狭い幅を有し得る。これにより、着用時の快適性をより高めることができる。また、吸収性材料堆積区域８は、概して、例えば、図４〜図６に示すとおり、矩形であってもよく、また、「Ｔ」、「Ｙ」「砂時計」又は「犬の骨」形状など他の堆積区域は、本開示の範囲内である。
【００５７】
吸収性コア内のチャネル
吸収性材料の堆積区域８は、少なくとも１つのチャネル２６を備えてもよく、吸収性物品８０の長手方向（すなわち、長手方向ベクトル要素を有する）に少なくとも部分的に配向されている。他のチャネルは、横方向配向されてもよく（即ち、横方向ベクトル要素を有する）、又は他の任意の方向に少なくとも部分的に配向されてもよい。以下、「チャネル」が複数形で用いられる場合は、「少なくとも１つのチャネル」を意味する。チャネルは、円形、楕円形、又は様々な他の閉多角形の形状であってもよい。チャネルは、様々な方法で形成されてもよい。例えば、チャネルは、吸収性材料、特にＳＡＰを実質的に含まない、又は全く含まなくてもよい、吸収性材料堆積区域８内のゾーンによって形成され得る。それに加えて又はそれに代わって、チャネルはまた、吸収性材料堆積区域８を通して、コアラップの上側部をコアラップの下側部に連続的に又は不連続的に結合することによって形成されてよい。チャネルは、連続的であっても断続的であってもよい。液体管理システム５０、又は吸収性物品の別の層もまたチャネルを備えてもよく、それらは、より詳細に後述するように、吸収性コアのチャネルに対応してもしなくてもよい。
【００５８】
吸収性コア２８は、２つ以上のチャネル、例えば、少なくとも３つ、少なくとも４つなどのチャネルを含むことができる。短いチャネルも、図１の一対のチャネル２７、２７’によって表されるとおり、吸収性物品２０の前部に向かって、例えば、コアの後側腰部領域６又は前側腰部領域５内に存在し得る。チャネルは、対称に配置されるか、ないしは別の方法で長手方向軸線８０又は横方向軸線９０に対して配置された、１つ又は複数のチャネルの対を備え得る。
【００５９】
チャネルの少なくともいくつか、又はそのすべてが恒久的なチャネルであってもよく、これはつまり、乾燥状態及び湿潤状態の両方でその完全性が少なくとも部分的に維持されることを意味する。恒久的なチャネルは、例えば、チャネルの壁内で基材を吸収性材料と接着する助けとなる、接着剤材料の繊維層又は構造用糊剤など、１つ以上の接着剤材料を提供することによって得られてもよい。恒久的なチャネルはまた、チャネル全体を通して、コアラップの上側部及び下側部（例えば、第１の基材１６及び第２の基材１６’）、並びに／又はトップシート２４及びバックシート２５を互いに結合することによって形成されてよい。一般的に、チャネルを介してコアラップの両側部又はトップシート及びバックシートを結合するのに接着剤が使用されてもよいが、圧力結合、超音波結合、熱結合、又はそれらの組み合わせなど、他の既知のプロセスによって結合することが可能である。コアラップ、又はトップシート２４及びバックシート２５は、チャネルに沿って連続的に結合されるか、又は断続的に結合されてよい。吸収性物品が完全に流体で満たされたときチャネルは有利には、少なくともトップシート及び／又はバックシートを通して目に見える状態を維持するか、又は目に見える状態となってもよい。これは、膨潤しないようにチャネルにＳＡＰを実質的に含有させないか、また湿潤時に閉じることがないようにチャネルを十分に大きくすることによって得られてもよい。更に、チャネル全体を通してコアラップをそれ自体に結合させるか、又はトップシートをバックシートに結合させることが、有利なことがある。
【００６０】
チャネルのない吸収性コア及び／又はＬＭＳもまた、本開示の範囲内である。これらのコアは、エアフェルトフリーコア、ＳＡＰ／パルプコア、パルプコア、又は当業者に公知の他のコアを含むことができる。
【００６１】
バリアレッグカフ
吸収性物品は、一対のバリアレッグカフ３４を備え得る。それぞれのバリアレッグカフは、吸収性物品の内面から上方に延びて、着用者の胴体と脚部との接合部付近で液体及びその他の身体排出物の収容性を改善し得るように、吸収性物品に結合された一片の材料によって形成され得る。バリアレッグカフ３４は、トップシート２４及び／又はバックシート２５に直接又は間接的に接合された近位縁部６４と、着用者の皮膚と接触して着用者の皮膚と封止部を形成するように意図された自由末端縁部６６と、によって範囲を定められている。バリアレッグカフ３４は、長手方向軸線８０の両側で吸収性物品の前側腰縁部１０と後側腰縁部１２との間を少なくとも部分的に延び、かつ少なくとも股部領域７内に存在する。バリアレッグカフ３４は、糊剤結合、融着、又はその他の好適な結合プロセスの組み合わせにより製造され得る結合部６５によって、近位縁部６４で吸収性物品のシャーシと接合され得る。近位縁部６４での結合部６５は、連続的であっても断続的であってもよい。レッグカフ３４の隆起区間に最も近い結合部６５が、レッグカフ３４の立ち上がり区間の近位縁部６４の範囲を定める。
【００６２】
バリアレッグカフ３４は、トップシート２４若しくはバックシート２５と一体であるか、又は、吸収性物品のシャーシに接合された別個の材料であってもよい。バリアレッグカフ３４の材料は、おむつの全長を通して延び得るが、これらの区間においてバリアレッグカフ材料がトップシート２４と同一平面上のままであるように、物品の前側腰縁部１０及び後側腰縁部１２に向かってトップシート２４に「タック結合」され得る。
【００６３】
それぞれのバリアレッグカフ３４は、この自由末端縁部６６に近接して、フィルム３５の１つ、２つ、又は３つ以上の弾性ストランド又はストリップを含み得るが、それにより、より良い封止をすることが可能となる。
【００６４】
吸収性物品は、バリアレッグカフ３４に加えて、ガスケットカフ３２を備えていてよく、このガスケットカフ３２は、吸収性物品のシャーシ、特にトップシート２４及び／又はバックシート２５に接合されており、かつバリアレッグカフ３４に対して外側に配置される。ガスケットカフ３２は、着用者の大腿の周りにより優れた封止をもたらすことができる。各ガスケットレッグカフは、１つ又はそれ以上の弾性ストリング又は弾性要素を、吸収性物品のシャーシ内の脚部開口部の区域内のトップシート２４とバックシート２５との間に含み得る。バリアレッグ及び／又はガスケットカフのすべて又は一部分は、ローション又はスキンケア組成物で処理してもよい。バリアレッグカフは、米国特許出願公開第２０１２／０２７７７１３号に記載されるものを含む、数多くの異なる構成で作製され得る。
【００６５】
前側耳部及び後側耳部
ある形態では、吸収性物品は、前部耳部４６及び後部耳部４０を含んでよい。耳部は、サイドパネルとして、トップシート２４及び／又はバックシート２５から形成されるなど、シャーシの一体部分であってもよい。あるいは、図１に示すように、耳部（４６、４０）は、糊剤接着、熱エンボス加工、及び／又は圧着により取り付けられる、別体の要素であってよい。タブ４２をランディングゾーン４４に容易に取り付け、テープ付きおむつを着用者の腰部周りの定位置に保つために、後側耳部４０は伸縮可能であり得る。後側耳部４０はまた、弾性のある耳部によって吸収性物品の側部が伸縮し得るため、最初に吸収性物品を着用者に対して適合するようにフィットさせ、続いて吸収性物品が排出物で充填されてからかなりの時間が経過した後も着用期間全体を通してこのフィットを維持することによって、より快適で、体に巻き付くようなフィット感を付与するように、弾性又は伸張性であってもよい。
【００６６】
液体管理システム（ＬＭＳ）
ＬＭＳ  ５０の１つの機能は、流体を迅速に捕捉し、それを吸収性コア２８に効率的な方式で分配することである。ＬＭＳ  ５０は、一体の層を形成しても、あるいは、互いに取り付けられ得る不連続の層のままでもよい、１つ又はそれ以上の層を備え得る。ＬＭＳ  ５０は、２つの層、つまり、吸収性コアとトップシートとの間に配置される分配層５４及び捕捉層５２を備え得るが、本開示はこうした構成に限定されない。
【００６７】
ＳＡＰは流体の捕捉及び分配を緩慢にし得るため、ＬＭＳ  ５０はＳＡＰを含み得る。他の形態では、ＬＭＳは、ＳＡＰを実質的に含まなくてもよい（例えば、８０％、８５％、９０％、９５％、又は９９％非含有である）か、又は完全に含まなくてもよい。ＬＭＳはまた、例えば、連続気泡発泡体、エアレイド繊維、又はカーディング樹脂結合不織布材料など、様々な他の好適なタイプの材料のうちの１つ以上を含んでもよい。ＬＭＳの好適な例が、例えば、国際公開第２０００／５９４３０号（Ｄａｌｅｙ）、同第９５／１０９９６号（Ｒｉｃｈａｒｄｓ）、米国特許第５，７００，２５４号（ＭｃＤｏｗａｌｌ）、及び国際公開第０２／０６７８０９号（Ｇｒａｅｆ）に記載されている。
【００６８】
分配層
ＬＭＳ  ５０は分配層５４を備え得る。分配層５４は、例えば、少なくとも５０重量％以上の架橋セルロース繊維を含み得る。架橋セルロース繊維は、捲縮されても、撚り合わされて、若しくはカールされてもよく、又は捲縮される、撚り合わされる、及びカールされることを含むこれらの組み合わせであってもよい。このタイプの材料が、米国特許出願公開第２００８／０３１２６２２  Ａ１号（Ｈｕｎｄｏｒｆ）に開示されている。
【００６９】
図４〜図５の吸収性物品の例ＬＭＳ  ５０は、図９〜図１０に切り離して示し、図１０は、図９の１０−１０線周囲で切り取ったＬＭＳ  ５０の断面図である。ＬＭＳ  ５０は、前側部２８１と、後側部２８３と、前側部２８１及び後側部２８３を接合する２つの長手方向側部２８５、２８７とを備えてもよい。ＬＭＳ  ５０はまた、表面区域を有する概して平面である上面及び表面区域を有する概して平面である底面を備え得る。ＬＭＳの前側２８１は、吸収性物品の前側腰縁部１０に向けて配置されるように意図されるＬＭＳの側部である。ＬＭＳ  ５０は、図１においてのように平面図で上部から見て、吸収性物品の長手方向軸線８０に実質的に対応する長手方向軸線８０’’を有してもよい。図示した形態では、ＬＭＳ  ５０は、チャネル４９、４９’を画定するために協働する分配層５４及び捕捉層５２を含む。他の形態では、ＬＭＳ  ５０の一部の層は、ＬＭＳ  ５０の少なくとも１つの層が連続であり、ＬＭＳ  ５０の別の層は不連続であるように、チャネルを画定し得る。
【００７０】
捕捉層
ＬＭＳ  ５０は、代替的又は追加的に捕捉層５２を備え得る。捕捉層５２は、例えば、分配層５４とトップシート２４との間に配設されてもよい。捕捉層５２は、スパンボンド、メルトブローン、及び更なるスパンボンド層、あるいはカーディング化学結合不織布を含む、ＳＭＳ又はＳＭＭＳ材料などの不織布材料であってもよく、あるいはそれを含んでもよい。捕捉層５２は、エアレイド若しくは湿式レイドセルロース繊維、架橋セルロース繊維、又は合成繊維、あるいはそれらのブレンドを含んでもよい。捕捉層５２は、合成繊維（空隙を増加させるため、固体状態形成法などによって処理されてもよい）のロールストックウェブ、又は嵩高材料を形成するために互いに結合された、合成繊維とセルロース繊維との組み合わせを含んでもよい。あるいは、捕捉層５２は、吸収性連続気泡発泡体を含んでもよい。不織布材料は、ラテックス結合されてもよい。
【００７１】
液体管理システム内のチャネル
吸収性物品２０のＬＭＳ  ５０は、一般に、吸収性物品を着用者の解剖学的構造により良く適合させて、それにより動作の自由度が増加して間隙が減少することを実現するチャネルを含んでもよい。ＬＭＳ  ５０の１つ又は複数のチャネルは、上述のように吸収性コア２８内の様々なチャネルに合わせて動作するように構成されていてもよい。更に、ＬＭＳ  ５０内のチャネルは、更に、吸収性物品内で、尿、ＢＭ、又は他の身体排出物を保持して分配させるためのボイド空間の増加を提供して、それによって漏出及び皮膚の接触を低減させ得る。ＬＭＳ  ５０内のチャネルは、特に、テクスチャ、色、及び／又はパターンの物理的相違によって強調表示されるときに内部の実用的な表示を更に提供して、着用者上での吸収性物品の正確な位置合わせを容易にさせ得る。このため、かかる物理的な違いは、例えば、視覚的及び／又は触覚的に顕著であってもよい。
【００７２】
吸収性コア２８内のチャネルと同様に、ＬＭＳ  ５０内のチャネルも、層内における任意の領域であってもよく、又は、２つ以上の層から延在していてもよく、上記「チャネル」の定義に記載のとおり、周囲材料よりも、実質的に低い坪量又は厚さを有する。ＬＭＳ  ５０内のチャネルはまた、制御された屈曲を可能にするように張力を低減させ、ＬＭＳ  ５０を吸収性コア２８に近接させて維持する役割を果たしてもよい。このため、ＬＭＳ  ５０内にチャネルが存在することによって（これは、下にある吸収性コア２８内の任意のチャネルと整列されていても、されていなくてもよい）、概して、ヒンジとして機能することができ、より柔軟な複合構造が可能になる。例えば、いくつかの場合には、ＬＭＳ  ５０のチャネルにより、ＬＭＳ  ５０が、制御された屈曲配置にある吸収性コア２８に向かって移動することが可能になり、それによってＬＭＳ  ５０と吸収性コア２８との間の分離が制限される。加えて、ＬＭＳ  ５０内のチャネルは、流体又は他の身体排出物を、吸収性物品２０の１つの領域から吸収性物品２０の別の領域へと経路指定するのを支援してもよい。かかる経路指定により、吸収性物品２０を通した流体の全体的な分配が望ましくは改善され、物品の快適性、耐久性、又は寿命の向上につながり得る。
【００７３】
多層ＬＭＳでは、チャネルはＬＭＳ  ５０の１つ又は複数の層に存在してもよく、３つすべての基準面で寸法が変化してもよい。ＬＭＳ  ５０内の所与のチャネル幅は、長手方向（即ち、吸収性物品の長手方向軸線に実質的に平行な方向）において変動してもよい。チャネルはまた、吸収性物品の横方向軸線又は横方向分離要素の前方では、横方向軸線又は横方向分離要素の後方とは異なる幅、長さ、及び／又は容積を有してもよい。ＬＭＳ  ５０のチャネルは、吸収性コア２８に関する上記のチャネルに類似している幅、長さ、形状、量及びパターンの範囲を有してもよい。
【００７４】
ＬＭＳ  ５０内の１つ以上のチャネルは、吸収性コア２８内のチャネルと少なくとも部分的に重なり合うか、又は完全に重なり合ってもよく、重なり合った領域では、より深い凹部が形成される。ＬＭＳ  ５０が２つ以上の層を含む形態では、吸収性コア２８に最も近い層はチャネルを含み得る。トップシート２４、捕捉層５２、分配層５４、又は他の層など、構造内の１つ以上の層は、この領域における吸収性コア２８の要素に結合されて、組み合わされたチャネルの深さを増大させてもよい。ある形態では、ＬＭＳ  ５０の捕捉層５２内のチャネル及び吸収性コア２８内のチャネルは、チャネルが完全に重なり合うように一致する。別の形態では、ＬＭＳ及び貯蔵層内のチャネルに重なり合う領域は有していない。他の形態は、部分的に重なり合うような介入範囲を包含する２つの層内のチャネル間に垂直の重なりを有する。
【００７５】
再び図１〜図５を参照すると、図示した実施例のＬＭＳ  ５０が、２つのチャネル４９、４９’を画定していることが分かる。チャネル４９、４９’は、吸収性物品８０の長手方向に少なくとも部分的に配向されている（即ち、長手方向ベクトル要素を有している）。ＬＭＳ内の他のチャネルは、少なくとも一部横方向又は任意の他の方向に配向されてもよく（すなわち、側部ベクトル要素を有する）、ＬＭＳ  ５０内のチャネルは、連続していても、断続していてもよい。ＬＭＳ内のいくつかのチャネルは、円形、楕円形、正方形、長方形、三角形、又は他の任意の好適な形状であってもよい。チャネルは、様々な方法で形成されてもよい。例えば、チャネルは、捕捉材料又は分配材料を実質的に含まないか、又は含まなくてもよいＬＭＳ  ５０内のゾーンによって形成されていてもよい。
【００７６】
ＬＭＳ  ５０のチャネルは、長手方向に延在する２つのチャネル４９、４９’により図１に示すように、吸収性物品の横方向軸線９０と同じ長手方向の平面に少なくとも存在し得る。チャネルはまた、股部領域７から延在してもよく、又は吸収性物品の前側腰部領域５及び／若しくは後側腰部領域６に存在してもよい。図１では、チャネル４９、４９’は、概して、チャネル２６、２６’と一致し、チャネル２６、２６’は、吸収性物品２０の前側腰縁部１０に向かって長手方向により長い長さを有する。
【００７７】
ＬＭＳ  ５０は、少なくとも１つ又は２つ以上のチャネルのような任意の適切な数のチャネルを画定することができる。例えば、ＬＭＳ  ５０の後側腰部領域６又前側腰部領域５に、より短いチャネルがまた存在してもよい。ＬＭＳ  ５０のチャネルは対称的に配置された一対以上のチャネルを含んでもよいか、又は別の方法で、長手方向軸線８０及び／又は横方向軸線９０又は他の横軸線に対して配置されてもよい。チャネルは、実質的に長手方向又は実質的に横方向に延在してもよい。
【００７８】
ＬＭＳ  ５０内のチャネルの少なくとも一部又はすべては恒久的なチャネルであってもよく、つまり、それらの一体性は、乾燥状態及び湿潤状態の両方で少なくとも部分的に維持される。恒久的なチャネルは、例えば、チャネルの壁内で基材を吸収性材料と接着する助けとなる、接着剤材料の繊維層又は構造用糊剤など、１つ以上の接着剤材料を提供することによって得られてもよい。また、耐久性チャネルは、ＬＭＳ  ５０のチャネルを介して、トップシート２４がバックシート２５と一緒に結合することによって形成されてもよい。一般的に、チャネルを通してトップシート２４及びバックシート２５を結合するのに接着剤が使用されてもよいが、圧力結合、超音波結合、熱結合、又はそれらの組み合わせなど、他の既知のプロセスを介して結合することが可能である。トップシート２４及びバックシート２５は、チャネルの一部又は全部に沿って、又はチャネルの一部又は全部内で連続して結合され得るか、又は断続的に結合され得る。
【００７９】
図１を参照すると、ある形態では、ＬＭＳ  ５０は、少なくとも２つのチャネルを含んでもよい（例４９、４９’）。これらのチャネルは、不織布材料若しくは架橋セルロース繊維を含まないか、又は実質的に含まなくてもよく（例えば、１０％未満、５％未満、３％未満、２％未満、又は１％未満）、長手方向に少なくとも部分的に配向されてもよく、かつ／又は横方向に少なくとも部分的に配向されてもよい。
【００８０】
図１〜図１０に示す吸収性コア２８のチャネル２６、２６’の部分及びＬＭＳ  ５０のチャネル４９、４９’は、概して、位置合わせされるが、本開示はそのように限定するものではない。実際には、理解されるように、ＬＭＳ  ５０及び／又は吸収性コア２８におけるチャネルの特定の配置は変動してもよい。
【００８１】
パンツ
吸収性物品に関する代替的構成は、中央シャーシ構造体が、そのパンツの前側腰縁部及び後側腰縁部まで延在せず、それら前側腰縁部及び後側腰縁部を形成しない吸収性パンツのための構成である。むしろ、伸縮性のベルト構造体が、着用者の腰部を完全に取り囲み、そのパンツ全体の周りの腰部縁部、及びサイドパネル／臀部パネルを形成する。中央シャーシは、その端部が、ベルト構造体の腰部縁部の若干下方の、前側腰部領域及び後側腰部領域内の場所に配置された状態で、通常はベルト構造体の内側で、そのベルト構造体に接合される。この弾性ベルトは、通常、比較的（長手方向に）幅広であり、横方向に弾性的に伸縮性を有する。この弾性ベルトは、着用者の腰部を完全に取り囲むことにより、比較的多大な分量の着用者の皮膚が覆われる。この構成は、往々にして、「ベルト」又は「バルーン」構成として知られるものである（以降では、「ベルト」構成）。
【００８２】
より詳細には、吸収性物品は、液体透過性トップシート、バックシート、及びトップシートとバックシートとの間に配置された吸収性コアを更に含む、前側領域、後側領域、及びそれらの間に配置された股部領域を有してもよい。次いで、物品は、股部領域を占める中央シャーシと、中央シャーシの周りに配置されたベルト構造体とを備えることができ、ベルト構造体は、バックシートを前側領域と後側領域においてその外側に重ね合わせ、ベルト構造体は、シャーシから外向きに横方向及び縦方向に重なり合って延びる。ベルト構造体は、外側不織布と内側不織布とを含み、それらの間に弾性ストランドを有することができる。ベルト構造体は、前側腰縁部及び前側左右側縁部を有する前側ベルト部分と、後側腰縁部及び後側左右側縁部を有する後側ベルト部分とを更に有することができ、それぞれの前側及び後側の左側縁部とそれぞれの前側及び後側の右側縁部とが接合されて腰部開口部及び左右の脚開口部を形成する。
【００８３】
任意のパンツ構成は、臭気制御組成物及びその配置と共に、本明細書に記載される物品構成要素のいずれか、例えば、本明細書に記載のトップシート、バックシート、コア、バリアカフ、及び／又は液体管理システム層を有し得る。パンツ構成の更なる説明及び実施形態は、米国特許出願第６２／２１０６３５号で見出され得る。
【００８４】
臭気制御組成物の配置
本発明の臭気制御組成物を配置することにより、物品の外側からの視界から隠すことができる。これは、臭気制御組成物が暗い色、例えば、活性炭の粒子である場合に特に有利である。このように、本発明の臭気制御組成物は、構成要素の不透明度及び／又は厚さに依存して、臭気制御組成物が目に見えず、依然として有効であり得る、物品の構成要素同士の間に配置され得る。例えば、臭気制御組成物は、コアラップと液体管理システムとの間に配置されてもよい。例えば、臭気制御組成物は、分配層とコアラップとの間に配置されてもよい。場合によっては、臭気制御組成物は、捕捉層とコアラップとの間、捕捉層と分配層との間、２つの捕捉層の間、又は捕捉層とトップシートとの間に配置することができる。視認性の欠如に加えて、液体管理システム及びコアラップ内又はそれらの間の配置の１つの利点は、そのような配置が、糊剤及び／又はコア材料との相互作用を制限することができ、一般に、臭気制御組成物の他の構成要素の機能との相互作用を制限することができる。多くの場合、開放型物品を上から見たとき（通常の光で物品のトップシート側を見る観察者）、又は通常の光で物品のバックシート側から見たときに臭気制御組成物が目に見えないことが望ましい場合がある。場合によっては、臭気制御組成物は、臭気制御組成物が見えないような場所に配置されてもよい。臭気制御組成物は、一般に、物品構成要素の少なくとも２つ又は３つの層が物品のトップシートに向かってその上に配設されるように配設することができる。臭気制御組成物とトップシートとの間には、１つ、２つ、又は３つの層が存在し得る。
【００８５】
いくつかの実施形態では、臭気制御組成物は、活性炭であってもよく、コアに直接的に、例えばコアラップの内部に、又はＳＡＰに混合されてもよい。これにより、臭気制御組成物がコアラップの内部に閉じ込められて固定されるので、臭気制御組成物を所定の位置に確実に固定する。また、物品を外側から見た場合、すなわち、トップシート側又はバックシート側のいずれかから見ると、活性炭が見えないという安心感ももたらす。
【００８６】
一般に、本明細書に記載された物品構成要素の多くは、表面及び表面区域を各面に有する平面であってもよく、一方の面が物品のトップシート側に向けられ、他方の面が物品のバックシート側に向けられる。そのような物品構成要素は、例えば、トップシート、捕捉層（複数可）、分配層（複数可）、液体管理システム、バックシート、コア、又はコアラップを含み得る。コアラップの場合、コアラップは、トップシートに向かって配向された最外表面である表面を有してもよく、コアラップはまた、バックシートに向かって配向された最外表面である表面を有することができ、また吸収性コアに向かって配向された内面を有する。コアラップ表面区域は、トップシートに向かって配向され、液体管理システムに隣接していてもよい。
【００８７】
場合によっては、隣接する物品構成要素は、類似又は実質的に類似の表面区域を有することができるが、場合によっては、隣接する物品構成要素が類似又は実質的に類似の表面区域を有さなくてもよい。例えば、場合によっては、分配層表面区域は、隣接するコアラップ表面区域より小さくてもよい。場合によっては、捕捉層表面区域又は分配層表面区域は、トップシートに向かって配向されたコアラップ表面区域のサイズの約４０％、５０％、６０％、７０％、８０％又は９０％であってもよい。場合によっては、捕捉層又は分配層の長さは、コアラップ表面の長さの約４０％、５０％、６０％、７０％、８０％又は９０％であってもよい。
【００８８】
場合によっては、臭気制御組成物は、表面区域の最大約２５％、３０％、３５％、４０％、４５％、５０％、５５％、６０％、６５％、７０％、７５％、８０％、８５％、９０％、９５％、又は１００％にわたって配置することができる。場合によっては、臭気制御組成物は、コアラップ表面区域の最大約８０％にわたって配置することができる。しかしながら、場合によっては、臭気制御組成物は、コアラップ表面区域のわずか約１％〜約５％、コアラップ表面区域の約１％〜約１０％、約１％〜約２０％、約２％〜約１０％、約５％〜約１０％、約５％〜約１５％、又は約５％〜約２０％を配置することができる。
【００８９】
臭気制御組成物は、隣接する構成要素の表面区域と重なる構成要素の表面区域の部分に配置することができる。例えば、粒状活性炭は、トップシートに向かって配向されているコアラップ表面区域の約５０％に散布することができる。隣接する物品構成要素は、コアラップよりも小さい表面区域を有し得る分配層であってもよい。したがって、粒状活性炭は、分配層の表面区域に接触するコアラップの表面区域にのみ散布されてもよい。いずれにしても、臭気制御組成物をいくつかの層の下又は少なくとも十分に不透明な構成要素層の下に置くことによって、臭気制御組成物は物品のトップシート側から見えなくなる。臭気制御組成物を適所に保持するのを助けるために接着剤を使用してもよく、又はいくつかの実施形態では接着剤を使用しなくてもよい。
【００９０】
臭気制御組成物は、組成物が臭気制御組成物として機能することを可能にする任意の方法で物品構成要素上に配置され得る。好適な形態としては、微粒子、粉末、繊維、紙、不織布、又はスラリーを挙げることができるが、これらに限定されない。場合によっては、臭気制御組成物は、担体、コーティング、又はインクのような添加材料に含まれていてもよい。臭気制御組成物は、物品の繊維又は不織布基材構成要素に直接組み込まれてもよい。臭気制御組成物は、パウチ又はサシェの内部に含まれてもよく、ラミネート又はフィルムの形態であってもよい。
【００９１】
１つの特定の実施形態では、吸収性物品は、トップシートと、バックシートと、その間に吸収性コアを含み、コアはコアラップを含む。物品は、捕捉層及び分配層を含む液体管理システムを備え、分配層は、トップシートに向かって配向されたコアラップ表面に隣接している。臭気制御組成物である、粒状活性炭は、トップシートに向かって配向されたコアラップ表面の上に配置される。活性炭は約２ｃｍ２のコアラップ表面を覆い、それぞれ１ｃｍ２の面積の２つのパイルに配置される。分配層の長さは、隣接するコアラップの長さの約５０％であり、粒状活性炭は、コアラップが分配層によって重なり合っている場合にのみコアラップ上に配置される。
【００９２】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば「４０ｍｍ」として開示される寸法は、「約４０ｍｍ」を意味するものとする。
【００９３】
相互参照される又は関連する特許又は出願等の、本願に引用されるすべての文書は、明示的に除外される、又は別途限定されない限り、参照によりその全体が本願に援用される。いずれの文献の引用も、その文献が本願で開示又は特許請求されるすべての発明に対する先行技術であることを認めるものではなく、又はその文献が単独で、あるいは任意のその他の参照文献との任意の組み合わせにおいて、かかる発明のいずれかを参照、教示、示唆又は開示することを認めるものでもない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００９４】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのようなすべての変更及び修正が、添付の特許請求の範囲に網羅されるものとする。
【図１】
0006685400.tif 000002
【図２】
0006685400.tif 000003
【図３】
0006685400.tif 000004
【図４】
0006685400.tif 000005
【図５】
0006685400.tif 000006
【図６】
0006685400.tif 000007
【図７】
0006685400.tif 000008
【図８】
0006685400.tif 000009
【図９】
0006685400.tif 000010
【図１０】
0006685400.tif 000011